(57)【要約】【課題】雑草取込口からの石や木片等の飛散を少なくできる、安全で効率の良い刈取作業を行なうことができると共に、雑草の取込性能を確保した刈刃装置を提供することを課題とする。【解決手段】地面に対して略垂直な回転軸１に直交して、上下二段の刈刃を装着した歩行型草刈機において、前記上下二段の刈刃は草の株元と中間部対応高さ位置に設け、上方の上刈刃２を板状体とし、下方の下刈刃３を可撓性を有する線材に構成してなる歩行型草刈機の切断装置の構成とする。【選択図】　　　　図１
2004016137.tif 000002
【特許請求の範囲】
【請求項１】
地面に対して略垂直な回転軸（１）に直交して、上下二段の刈刃を装着した歩行型草刈機において、上方の上刈刃（２）を板状体とし、下方の下刈刃（３）を可撓性を有する線材に構成してなる歩行型草刈機の切断装置。
【請求項２】
上下二段の刈刃を、少なくとも左右一対に設けてなる請求項１記載の歩行型草刈機の切断装置。
【発明の詳細な説明】
【０００１】
【発明の属する技術分野】
本発明は、畦や農道あるいは傾斜地等の草を刈取るための歩行型草刈機の切断装置に関する。
【０００２】
【従来の技術】
従来より、地面に対して略鉛直に設けた回転軸に、直交して上下二段の板状の刈刃を装着したものが知られている。又、上下二段の板状刈刃を装着した回転軸を左右に列設した歩行型草刈機についても特開２０００−１３９１５８号公報により開示されている。これらの草刈機の刈刃装置には、刈刃カバーが刈刃を覆うように設けてある。通常、刈刃カバーの雑草取込口は刈刃装置前方に備えてあり、作業者への石や木片の飛散を防止し、刈取った雑草を周囲に撒散らすことなく側方又は後方へ案内するよう構成してある。
【０００３】
【発明が解決しようとする課題】
しかしながら、上下二段の板状刈刃の内、特に下側の刈刃で石を飛散させる可能性があり、刈刃カバー開放部からの石や木片の飛散については完全には防止できないものであった。回転軸を左右に列設した上下二段の板状刈刃の場合にも上側の刈刃を前側で対向回転させることで雑草の取込性能は良いが、やはり下側の刈刃による刈刃カバー開放部への石や木片の飛散を防止することは困難であった。これらの飛散は特に雑草の刈高さを短くする場合等に刈刃を前方下り傾斜にしたり、刈刃の地面からの高さを低くしたりした際に顕著である。本発明は、刈刃カバー開放部からの石や木片等の飛散を少なくでき、安全で効率の良い刈取作業を行なうことができると共に、雑草の取込性能を確保した刈刃装置を提供することを課題とする。
【０００４】
【課題を解決するための手段】
地面に対して略垂直な回転軸１に直交して、上下二段の刈刃を装着した歩行型草刈機において、上方の上刈刃２を板状体とし、下方の下刈刃３を可撓性を有する線材に構成してなる歩行型草刈機の切断装置の構成とする。
又、上下二段の刈刃を、少なくとも左右一対に設けた構成とする。
【０００５】
【発明の作用及び効果】
請求項１に記載の発明は、地面に対して略鉛直に設けた回転軸１に直交して、上下二段の刈刃を装着した歩行型草刈機において、上方の上刈刃２を板状体とし、下方の下刈刃３を可撓性を有する線材に構成しているため、硬い茎や太径の草は上刈刃２で確実に切断し、低い地表面の柔らかい草は下刈刃が切断して効率の良い刈取作業が可能であるとともに、上刈刃２で草を確実に取込むことができる。又、下刈刃を可撓性を有する線材にしてあるので、石の飛散が少なく、刈高さを低くすることができ、刈跡がきれいである。
請求項２に記載の発明は、上下二段の刈刃を、左右一対に設けてあるため、上記作用及び効果よりも更に草の取込性能が良く、長い草も確実に取込んで切断できると共に、刈り幅を広く構成することができる。
【０００６】
【発明の実施の形態】
次に、本発明の実施の形態を図面を参照しながら説明する。
機体の中央に設けるギヤケース１０の後部にはエンジン１１を取付け、このギヤケース１０から左右に延ばした支持杆１２，１３の先端から下方に向けてアーム１４，１５を設け、このアーム１４，１５の下端部に走行輪１６を軸支してある。一方のアーム１４には内部にチェン伝動機構を設け、エンジン１１の動力で走行輪１６を回転駆動するようにしてある。
【０００７】
ギヤケース１０の前側には、左右に振り分けて略垂直に軸支する回転軸１，１を有する伝動ケース１７を設け、左右回転軸１，１には草の根本と中間部に対応する高さの上下二段に、該回転軸１，１の直径方向へ突出する上刈刃２と下刈刃３をそれぞれ取付け、上方より見て左右の刈刃２，３の前側が中央に向かって逆回転するようにしてある。
図７は下刈刃３取付部分の拡大図であり、中央の回転軸１先端に、ボルト５０で刈刃取付５１を締付けて固定してある。刈刃取付５１の外周には、抜止５２を有する線材の下刈刃３を通す穴５３を設けてあり、下刈刃３が回転軸１の遠心力で抜けない構成である。下刈刃は樹脂コードや金属ワイヤー等の材質のものを使用することができる。例えば、樹脂コードを使用した場合、安価で軽く刈跡がきれいであり耐久性も高い反面、硬い茎等は刈れない。金属ワイヤーは樹脂コードで刈れなかった硬い茎等も刈ることができるが、比較的耐久性が低く、高価である。このように草の種類に応じて下刈刃３を選択することができ、どちらも石の飛散が少ない安全な作業が可能である。
図１の実施形態において、上刈刃２，２の位相を９０°ずらして取付けており、上下二段の上刈刃２と下刈刃３の位相も９０°ずらしてある。
７はベルトで、ギヤケース１０の出力軸に固着のプーリ８と前記回転軸１，１に固着のプーリ９，９に巻き掛けることで、ギヤケース１０の動力を回転軸１，１に伝動する。
走行輪１６の上側は、走行輪カバー１８を前記ギヤケース１０の下側に取付け、この走行輪カバー１８の前側に刈刃２，３を全体的に覆う刈刃カバー１９を設けてある。
【０００８】
走行輪１６は、図５に示す如く、左右両側部１６ａが大径で中間部１６ｂを小径として、刈倒した草が中間部１６ｂの下側を経過し易くしてある。両側部１６ａと中間部１６ｂとには適宜間隔で鉄製ラグ２０を突設し、両側部１６ａの外側端にはゴムラグ２１を巻き付けてある。
尚、この走行輪１６の形状は、左右両端から中央に向けて順次小径とした鼓形状としても良い。
【０００９】
ギヤケース１０の上部には取付台２３を取付け、この取付台２３上にハンドル基台２４を水平回動可能に取付けている。２５はハンドル基台２４の取付台２３に対する水平回動位置を固定する固定具である。
ハンドル基台２４の上部には、ハンドル杆２６を横軸２７で枢支し、固定具２８でハンドル杆２６のハンドル基台２４に対する傾きを調整することが可能で、ハンドル杆２６を略垂直にして固定することもできる。
３３は前記プーリ８，９，９，ベルト７を覆う伝動カバーであり、その左右中央部から前方上方に向けて延設した後、前方下方に向けて湾曲したステー３４を設け、該ステー３４先端にはゲージ輪３５を軸支してある。
【００１０】
ハンドル杆２６の先端にはループ状の取手２９を取付け、この取手２９にエンジン１１につながるアクセルレバー３０を取付け、アクセルレバー３０と取手２９とを握ることでエンジン１１の回転数を変更可能にしてある。３８は走行クラッチレバーでありワイヤー３９を介して走行輪１６の駆動を断続する。３１はハンドル回動レバーであってワイヤー３２を介して前述の固定具２５を作動させ、ハンドル基台２４を取付台２３に対し左右水平方向に回動固定可能に構成してある。
このように構成した草刈機を使用する場合には、走行輪１６によって走行しながら刈刃２，３を駆動して雑草を刈取る。
刈倒された草は刈刃２，３の回転で左右中央に集まりながら走行輪１６の中央部１６ｂ下方を通過して後方へ排出される。
【００１１】
以上の構成の歩行型草刈機を用いて前進走行しながら草刈作業を行なうと、左右の刈刃２，３は、平面視前側で中央に向かって回転することにより、草を確実に取込口から取込むことができる。更に詳しくは、地面からの距離を有する上刈刃２が草の取込作用をして、硬い茎や太径の草を切断すると共に、下刈刃３が地面の石や木片を飛散させることなく草の株元部を切断することができる。尚、本発明の実施の形態では、回転軸１を左右に列設した刈刃装置で説明したが、図７に示すように、上下二段の刈刃２，３を単一の回転軸１で回転させても良く、更に別実施の形態としては図８に示すように、上刈刃２を円盤状の刈刃で構成しても良く、図９に示すように、下刈刃３を複数の可撓性のある線材で構成しても良い。
【図面の簡単な説明】
【図１】本発明の要部平面図及び要部正面図。
【図２】本発明の側断面図。
【図３】本発明の一部省略平面図。
【図４】本発明の実施形態を示す一部側断面図。
【図５】本発明の実施形態を示す一部背面図。
【図６】従来例を示す要部平面図及び要部正面図。
【図７】本発明の要部側断面図。
【図８】別実施形態を示す要部平面図及び要部正面図。
【図９】別実施形態を示す要部平面図及び要部正面図。
【図１０】別実施形態を示す要部平面図及び要部正面図。
【符号の説明】
１　　回転軸
２　　刈刃
３　　刈刃
【図１】
2004016137.tif 000003
【図２】
2004016137.tif 000004
【図３】
2004016137.tif 000005
【図４】
2004016137.tif 000006
【図５】
2004016137.tif 000007
【図６】
2004016137.tif 000008
【図７】
2004016137.tif 000009
【図８】
2004016137.tif 000010
【図９】
2004016137.tif 000011
【図１０】
2004016137.tif 000012